(57)【要約】【課題】トナー像の定着のために加熱されて高温となった記録シートの温度を効率よく降下させる。【解決手段】  定着装置の下流側に冷却ローラ１４を配置し、互いに圧接される冷却ローラと冷却対向ローラ１８との間に記録シートを挟み込んで搬送する。これにより記録シートＰを全幅にわたってほぼ均等に冷却ローラと接触させ、熱の移動によって記録シートを冷却する。冷却ローラは、中空の部材となっており、内周面から複数のリブ１４ａが立ち上げられている。このリブ１４ａの高さｈ1は冷却ローラの内周面の半径Ｒ1より小さくなっており、冷却ローラの中心軸線付近は軸線方向に貫通して空気の流路となっている。この冷却ローラの中空部には一端からファンによって空気流が送り込まれ、冷却ローラからの放熱が促進される。【選択図】  図３
2008102346.tif 000002
【特許請求の範囲】
【請求項１】
粉状のトナーの付着によってトナー像を形成する像形成部と、
前記トナー像を加熱して記録シート上に定着する定着手段と、
前記定着手段によってトナー像が定着された記録シートの全幅にわたって密接され、該記録シートを冷却する冷却ローラとを有し、
前記冷却ローラは、中空の部材からなり、中空部分には軸線方向に冷却用気体が通過するものであることを特徴とする画像形成装置。
【請求項２】
中空となった前記冷却ローラの内側には、内周面から立ち上げられて軸線方向に伸びる板状のリブが複数設けられ、
前記冷却ローラの内周面から前記リブが立ち上げられた高さが該冷却ローラの内周面の半径未満であり、中心部が中空となって該冷却ローラの軸線方向に貫通していることを特徴とする請求項１に記載の画像形成装置。
【請求項３】
中空となった前記冷却ローラの内側には、内周面から立ち上げられ、該冷却ローラの回転によって中空部内に空気流を形成する複数のひれ状部材が設けられ、
前記冷却ローラの内周面から前記ひれ状部材が立ち上げられた高さが該冷却ローラの内周面の半径未満であり、中心部が中空となって該冷却ローラの軸線方向に貫通していることを特徴とする請求項１に記載の画像形成装置。
【請求項４】
加熱されたシートと全幅にわたって密接され、該シートを冷却する冷却ローラと、
軸線周りに回転する前記冷却ローラとの間に前記シートは挟み込み、前記冷却ローラの回転にともなって搬送されるシートを前記冷却ローラに押し付ける押圧部材とを有し、
前記冷却ローラは、中空の部材からなり、中空部分には軸線方向に冷却用気体が通過するものであることを特徴とする搬送冷却装置。
【請求項５】
外周面に、加熱されたシートが全幅にわたって密接される中空の円筒部と、
内周面から立ち上げられた複数の板状部材とを有し、
前記円筒部の内周面から立ち上げられた前記板状部材の高さが前記円筒部の内周面の半径未満であり、中心部が中空となって該円筒部の軸線方向に貫通していることを特徴とする冷却ローラ。
【発明の詳細な説明】
【技術分野】
【０００１】
本発明は、静電電位の差による潜像にトナーを選択的に付着させてトナー像を形成し、このトナー像を加熱及び加圧して記録シート上に定着する画像形成装置及びこの画像形成装置で用いることができる搬送冷却装置、冷却ローラに関するものである。
【背景技術】
【０００２】
粉状のトナーの付着よって可視像を形成する画像形成装置において、トナー像を記録シート上に定着する工程は、記録媒体上に転写されたトナー像を加熱及び加圧する方法、又は加熱されたトナー像を記録媒体上に圧着する方法が広く採用されている。この他の手段が採用される場合であっても、トナー像の定着にはトナー像を加熱して定着することが一般に行われている。
このようにトナー像を記録シート上に定着した場合には、トナー像の加熱とともに記録シートも加熱され、定着部から送り出された記録シートは高温状態となっていることが多い。このように記録シートが高温となることによって次のような不都合が生じることがある。
片面のみに画像を形成する場合は、定着部から送り出された記録シート上のトナー像が高温となっているために、その後の搬送路上に設けられているガイド部材にトナー像がこすりつけられ、画像に摺擦痕が生じることがある。また、排出トレイに送り出され積み重ねられたときに先行して排出された記録シート上のトナー像が後から排出された記録シートの裏面に転移する等のトラブルが発生することがある。両面にトナー像を形成する場合には、さらに記録シートの温度が高くなるため、トナー像にトラブルが起こりやすくなる。
【０００３】
上記のような事情により、定着部から送り出された記録シートの温度を低下させる技術が、例えば特許文献１に提案されている。この技術は、定着装置から送り出された高温の記録シートに空気流を吹き付け、温度の降下を促進させようとするものである。
【特許文献１】特開平９−１６０３１１号公報
【発明の開示】
【発明が解決しようとする課題】
【０００４】
しかしながら、記録シートに直接に空気流を吹き付けて温度を低下させようとすると、記録シートの表面の広い範囲に多くの空気量を吹き付ける必要があり、ファン等の設備を配置するために大きなスペースが必要となる。また、空気流の吹きつけによって記録シートが波打つように振動したり、変形して記録シートの搬送を阻害することが考えられる。例えば、大きな変形によって円滑に搬送ローラ対に記録シートの先端が送り込まれず、いわゆる紙詰まりが生じることがある。
【０００５】
本願に係る発明は、上記のような問題点を解決するためになされたものであり、その目的は、加熱されて高温となった記録シートの温度を効率よく低下させる画像形成装置及びこの画像形成装置で用いられる冷却ローラを提供することである。
【課題を解決するための手段】
【０００６】
上記課題を解決するために、請求項１に係る発明は、  粉状のトナーの付着によってトナー像を形成する像形成部と、  前記トナー像を加熱して記録シート上に定着する定着手段と、  前記定着手段によってトナー像が定着された記録シートの全幅にわたって密接され、該記録シートを冷却する冷却ローラとを有し、  前記冷却ローラは、中空の部材からなり、中空部分には軸線方向に冷却用気体が通過するものである画像形成装置を提供する。
【０００７】
請求項２に係る発明は、請求項１に記載の画像形成装置において、  中空となった前記冷却ローラの内側には、内周面から立ち上げられて軸線方向に伸びる板状のリブが複数設けられ、  前記冷却ローラの内周面から前記リブが立ち上げられた高さが該冷却ローラの内周面の半径未満であり、中心部が中空となって該冷却ローラの軸線方向に貫通しているものとする。
【０００８】
請求項３に係る発明は、請求項１に記載の画像形成装置において、  中空となった前記冷却ローラの内側には、内周面から立ち上げられ、該冷却ローラの回転によって中空部内に空気流を形成する複数のひれ状部材が設けられ、  前記冷却ローラの内周面から前記ひれ状部材が立ち上げられた高さが該冷却ローラの内周面の半径未満であり、中心部が中空となって該冷却ローラの軸線方向に貫通しているものとする。
【０００９】
請求項４に係る発明は、  加熱されたシートと全幅にわたって密接され、該シートを冷却する冷却ローラと、  軸線周りに回転する前記冷却ローラとの間に前記シートは挟み込み、前記冷却ローラの回転にともなって搬送されるシートを前記冷却ローラに押し付ける押圧部材とを有し、  前記冷却ローラは、中空の部材からなり、中空部分には軸線方向に冷却用気体が通過するものである搬送冷却装置を提供するものである。
【００１０】
請求項５に係る発明は、  外周面に、加熱されたシートが全幅にわたって密接される中空の円筒部と、  内周面から立ち上げられた複数の板状部材とを有し、  前記円筒部の内周面から立ち上げられた前記板状部材の高さが前記円筒部の内周面の半径未満であり、中心部が中空となって該円筒部の軸線方向に貫通している冷却ローラを提供するものである。
【発明の効果】
【００１１】
上記のような構成を備えることにより、請求項１に係る発明では、トナー像が定着され、高温となった記録シートは冷却ローラと接触することによって熱が奪われ、温度が低下する。そして、冷却ローラは中空部分を通過する気体に放熱され、冷却ローラの温度上昇が抑制される。したがって、冷却ローラによる記録シートの冷却が効率よく行われる。
【００１２】
請求項２に係る発明では、リブによって中空部分での表面積が大きくなるとともに、冷却ローラの中心部分に部材がなく、冷却ローラ内の軸線方向の空気流に対する抵抗が少なくなる。したがって、冷却ローラからの放熱がさらに効率よく行われる。
【００１３】
請求項３に係る発明では、冷却ローラの回転時にひれ状部材が空気流を形成し、これによって冷却ローラからの放熱が促進される。したがって、冷却ローラの中空部分に空気流を形成する手段、例えばファン等を省略したり、ファンの機能を補助して効率の良い冷却が可能となる。
【００１４】
請求項４に係る発明では、加熱された後のシートを効率よく冷却することができる。また、請求項５に係る発明では、冷却ローラからの放熱が促進され、多数枚のシートを連続して冷却する場合にも、シートを効率よく冷却することができる。
【発明を実施するための最良の形態】
【００１５】
以下、本願に係る発明の実施の形態を図に基づいて説明する。
図１は、本発明の一実施形態である画像形成装置を示す概略構成図である。
この画像形成装置は、帯電状態で像光が照射されることにより表面に静電電位の差による潜像が形成される円筒状の感光体ドラム１を備えており、この感光体ドラム１の周囲に、感光体ドラム１の表面を一様に帯電させる帯電装置２と、感光体ドラム１に像光を照射して表面に潜像を形成する露光装置３と、感光体ドラム上の潜像にトナーを選択的に転移させてトナー像を形成する現像ユニット４と、感光体ドラム１と対向し、周面の周回が可能に支持される無端ベルト状の中間転写体５と、トナー像の転写後に感光体ドラム１に残留するトナーを除去するクリーニング装置６と、感光体ドラム１の表面を除電する除電露光装置７とを備えている。
【００１６】
また、上記中間転写体５の内側には、感光体ドラム上に形成されたトナー像を中間転写体５に一次転写させる転写帯電器８と、２つの支持ローラ９a、９ｂと、二次転写を行うための転写対向ローラ１０とが配置されており、これらによって中間転写体５が周回可能に張架されている。該転写対向ローラ１０と中間転写体５を介して対向する位置には、中間転写体上のトナー像を記録シートに二次転写する転写ローラ１１が配設されており、転写対向ローラ１０と転写ローラ１１との対向部でこれらの間にシートトレイ１３から記録シートＰが送り込まれる。また、上記対向部の下流側には、記録シート上のトナー像を加熱溶融して記録シートＰに圧着する定着装置１２、及びその下流側には定着装置１２を通過した記録シートを搬送するとともに記録シートを冷却する冷却ローラ１４が設けられている。そして、冷却ローラ１４から排出トレイ１５に至る搬送経路には、一枚の記録シートの両面に画像を形成するときに、記録シートを両面用搬送路１６に送り込むゲート１７が設けられている。両面用搬送路１６は表裏が反転された記録シートを再度転写ローラ１１と中間転写体５との圧接部に送り込むものである。
【００１７】
上記感光体ドラム１は、金属製ドラム表面にSe、a-Si、a-SiC、Cds等の各種無機感光材料、有機感光材料、アモルファスセレン系感光材料、アモルファスシリコン系感光材料等からなる感光体層を形成したものを用いることができる。
【００１８】
上記帯電装置２は、ステンレススチール、アルミニウム等の導電性を有する金属のローラに高抵抗材料のコーティングを施したものであり、感光体ドラム１に当接され、従動回転するようになっている。そして、所定の電圧が印加されることにより、該ローラと感光体ドラム１との接触部近傍における微小間隙内で継続的な放電を生じ、感光体ドラム１の表面をほぼ一様に帯電するものである。
【００１９】
露光装置３は、画像信号に基づいて点滅するレーザー光を発生し、これをポリゴンミラーによって感光体ドラム１の主走査方向にスキャンするものである。これにより感光体ドラム１の表面に静電潜像が形成される。
【００２０】
上記現像ユニット４は、イエロー、マゼンタ、シアン、ブラックのトナーを収容した４台の現像器４a ，４ｂ，４ｃ，４dが回転可能に支持されており、順次各現像器が感光体ドラム１と近接・対向し、各色に対応した潜像にトナーを転移して可視像を形成するものである。
この現像器で用いられるトナーは、主に磁性キャリアとの摩擦により負極性に帯電されるものであり、色材とバインダ樹脂とを含むものである。また、パラフィンワックスを含むものであってもよい。
【００２１】
ベルト状の上記中間転写体５は、ベース層と表面層との２層構造となっており、ベース層には、耐熱性・強度・表面平滑性を考慮して、ポリイミド、ポリアミド、ポリアミドイミド等の耐熱性樹脂や、アルミニウム、ステンレス等の金属が用いられ、表面層には、耐熱性およびトナーとの離型性の高いシリコーンゴム、フッ素ゴム等が用いられている。
【００２２】
上記転写帯電器８は、感光体ドラム１上のトナー像が、効率よく中間転写体５へ転移するように電圧を印加して中間転写体５の裏面に電荷を付与するものである。また、上記転写ローラ１１は、導電性もしくは半導電性のローラ状部材からなり、転写対向ローラ１０との間に電圧を印加することによって、中間転写体５上のトナー像を記録シートＰに一括転写するものである。
【００２３】
上記定着装置１２は、加熱源を内蔵した加熱ローラ１２ａと、この加熱ローラ１２ａに圧接される加圧ローラ１２ｂとを備えており、これらが平行に配置されて互いに圧接されるニップ部を形成している。トナー像が転写された記録シートＰは、上記ニップ部に送り込まれ、回転駆動される加熱ローラ１２ａと加圧ローラ１２ｂとの間で加熱されるとともに加圧され、軟化したトナーが記録シート上に圧着されるものとなっている。
【００２４】
上記加熱ローラ１２ａは、金属製の芯金の周面上に耐熱性ゴム等の弾性体層が形成され、その表面に離型層が形成されたものであり、加熱源としてハロゲンヒーターを内蔵している。加圧ローラ１２ｂは、上記加熱ローラ１２ａと同様に金属製の芯金に弾性体層と表面離型層とを積層して被覆したものである。
【００２５】
上記冷却ローラ１４は、定着装置１２の下流側における記録シートの搬送経路に、冷却対向ローラ１８と対向するように設けられている。これらのローラは互いに平行に支持され、接触していずれか一方が回転駆動されるものであり、これらの間に送り込まれた記録シートを挟み込んで搬送するものとなっている。そして、双方のローラは用いられる最大サイズの記録シートの全幅でほぼ均等に接触するものである。
【００２６】
上記冷却ローラ１４は、外径が３０ｍｍで中空となっており、図２に示すように外周面が軸受け１９によって回転可能に支持されている。これによりローラの中空部分は軸線方向に貫通し、一方の端部からファン２０によって空気流が送り込まれる。この冷却ローラ１４の内周面からは、図３に示すように中心に向かって複数のリブ１４ａが立ち上げられ、これらのリブ１４ａは軸線方向に連続するものとなっている。これにより、冷却ローラの内側の表面積が増大されており、中空部分を通過する空気流との接触面積が大きくなって放熱が促進される。また、リブ１４ａは、内周面から立ち上げられた高さｈ1が内周面の半径Ｒ1より小さくなっており、冷却ローラの中心軸線付近１４ｃに部材が設けられておらず、空気流の通路として軸線方向に貫通している。これにより空気流への抵抗を小さくしている。
一方、円筒状となった外周部１４ｂは、放熱が速やかに生じるように薄くなっており、冷却対向ローラ１８との圧接による変形が生じないように上記リブ１４ａによって剛性を増大するものとなっている。
【００２７】
上記冷却ローラ１４はアルミニウムやステンレススチール等の金属で形成することができ、アルミニウムを用いる場合には押し出し成型により、外周部１４ｂとリブ１４ａとを一体に成型することができる。また、リブ１４ａを板金のプレス加工等により形成し、アルミニウムやステンレススチールの円筒体内に嵌め入れて固定したり、溶接によってリブを固着することもできる。
【００２８】
トナー像が定着された記録シートの表面と接触する冷却ローラ１４の外周面は、表面粗さがＲａで３．２程度に仕上げられていればよい。また、厚さが１０〜２０μｍ程度のフッ素樹脂（例えば、ＰＦＡ）からなる表面層が形成されていてもよい。このように表面粗さが調整され、又は表面層が形成されていることにより、定着時に加熱されてまだ高温状態となっているトナーが冷却ローラ１４に転移するのが防止される。
【００２９】
一方、冷却対向ローラ１８はステンレススチール（ＳＵＳ３０４）の軸部材１８ａの周囲に、ゴム硬度（ＪＩＳ−Ａ）が５０〜７０程度のＥＰＤＭで円筒状部材１８ｂを形成し、外径が２５ｍｍ程度に形成したものである。そして、軸部材１８ａの両端部を軸受け２１を介して支持し、この軸受けに作用する押圧力によって冷却ローラ１４と互いに圧接される。
【００３０】
なお、上記冷却ローラ１４と冷却対向ローラ１８とは、いずれか一方又は双方が、端部より中央部で径がわずかに拡大されたものとすることができる。これらのローラは両端部を支持して押圧することによって軸線方向にたわみが生じることがあるが、上記のように中央部で径がわずかに拡大されていることにより、軸線方向に均等な接触圧が維持され、記録シートを幅方向にほぼ均等に冷却することができる。
【００３１】
このような画像形成装置において、トナー像の形成は次のような工程によって行われる。
まず、感光体ドラム１の表面が帯電装置２でほぼ一様に帯電され、つづいて露光装置３から像光が照射されて感光体１の表面に静電電位の差による潜像が形成される。そして、感光体ドラム１の回転により、現像ユニット４の１つの現像器４aと対向する位置に移動し、現像器４aから１色目のトナーが転移され、トナー像が形成される。このトナー像は、感光体ドラム１の回転により中間転写体５との対向位置に搬送され、中間転写体上に静電的に一次転写される。一方、トナー像転写後の感光体ドラム１上に残留するトナーはクリーニング装置６により除去され、感光体ドラム１の表面は除電露光装置７により電位的に初期化され、再び帯電装置２との対向位置に移動する。
【００３２】
以後、現像ユニット４の３つの現像器４ｂ，４ｃ，４ｄが順次、感光体ドラム１と対向する位置に移動し、同様に２色目、３色目、４色目のトナー像が順次形成され、中間転写体５上に重ねて転写される。なお、このとき二次転写のための転写ローラ１１は、中間転写体５と接触しない位置に後退している。
【００３３】
中間転写体５上で重ね合わされたトナー像は、中間転写体５の周回移動により、転写ローラ１１と転写対向ローラ１０との対向位置に搬送され、シートトレイ１３から送り込まれた記録シートＰに当接される。転写ローラ１１と転写対向ローラ１０との間には転写用バイアス電圧が印加されており、トナー像は記録シート上に静電的に二次転写される。そして、トナー像が転写された記録シートＰは定着装置１２へと搬送される。
【００３４】
定着装置１２は、画像形成装置の電源が投入されるとともに予備加熱が行われて、加熱ローラ１２ａが所定の温度に加熱された待機状態となっており、画像形成動作の開始とともにさらに加熱されて、記録シートＰが搬送されてきたときには、トナー像の定着に充分な温度となる。そして、加圧ローラ１２ｂとの間のニップ部に導かれた記録シートを加熱するとともに加圧し、溶融したトナーを記録シート上に押し付けて定着画像とする。
【００３５】
定着装置１２から送り出された記録シートＰは、冷却ローラ１４と冷却対向ローラ１８との間に送り込まれ、全面が冷却ローラ１４と接触する。これにより高温となった記録シートＰ及びトナー像から冷却ローラ１４へ熱が移動し、記録シートが冷却される。一方、冷却ローラ１４は、中空部分に送り込まれた空気流によって放熱が促進され、温度の上昇が抑制される。このとき中空の冷却ローラ１４の内部を軸線方向に流れる空気は、冷却ローラ１４の内側の表面の影響を受け、表面近くでは流速が小さくなるが、上記冷却ローラ１４では中心軸線付近に部材がなく、空気の流路として軸線方向の空間が確保されている。したがって、空気流の抵抗が少なくなり、円滑に流れる空気へ放熱が速やかに行われる。これにより、継続して多数枚の記録シートへの画像定着が行われても定着後の記録シートを有効に冷却することができる。
【００３６】
冷却された記録シートは、片面のみに画像を形成するときには搬送ローラ２２によって排出トレイ１５に送り出される。このとき、記録シートは冷却されているので円滑に搬送され、画像に摺擦痕が生じたり、トナー像が重ね合わされた記録シートに転移したりすることはない。一方、両面に画像を形成するときには、ゲート１７が動作して記録シートＰを両面用搬送路１６に送り込む。両面搬送路を搬送される記録シートは、一旦反転搬送路１６ａに送り込まれ、搬送方向を反転して再び二次転写部へと送り込まれる。搬送方向が反転されることによって記録シートは表裏が反転されており、先にトナー像が転写された面とは反対側の面にトナー像が転写される。そして、同様の工程によりトナー像の定着及び冷却が行われる。このとき、片面に画像の定着が行われた後に冷却されているので、最初の面とほぼ同様の条件で転写及び定着が行われ、良好な画像を記録シート上に形成することができる。
【００３７】
以上に説明した実施の形態では、冷却ローラ１４の内面に設けられたリブ１４ａは軸線方向へ直線となっているが、図４に示す冷却ローラ３１のように螺旋状にリブ３１ａを設けてもよい。螺旋のピッチを中空部に送り込まれる空気流の速度に合わせて決定することにより、リブ３１ａが空気流の抵抗となるのを低減し、軸線方向に空気流が通過しやすいようにすることもできる。また、螺旋状のリブのピッチを適切に定めることにより、冷却ローラの回転で冷却ローラ内に空気流を発生させるようにすることもできる。
さらに軸線方向に連続するリブではなく、図５に示すように冷却ローラ３２の内周面に所定長さのひれ状の翼体３２ａを複数設けることもできる。この翼体３２ａは、冷却ローラ３２の内面の表面積を大きくして放熱を促進するだけではなく、その角度を適切に調整することにより冷却ローラ３２の回転で冷却ローラ内に軸線方向の空気流を生じさせることができる。なお、この翼体３２ａも冷却ローラの内周面からの立ち上げ高さｈ2が内周面の半径Ｒ2より小さくなっており、中心軸線付近は貫通する空間３２ｂとなっている。
【００３８】
また、冷却ローラの軸受けは、図２に示すように外周面と同じ半径方向の位置で支持するように設けても良いし、図６に示すように両端部で冷却ローラ３３の外径を縮小し、この部分を軸受け３４で指示するものであっても良い。
【００３９】
一方、上記の装置では冷却ローラ１４の中空部に送り込む冷却媒体として空気を用いているが、このほかの気体又は液体を用いても良い。この場合には冷却ローラの一端に接続され、他端に至る管路を設け、冷却媒体を循環させるのが望ましい。
【００４０】
図２及び図３に示す冷却対向ローラは、これに代えて図７に示すようなローラ３５，３６とこれらに張架された無端状ベルト３７を用いることができる。このようなローラ３５，３６と無端状ベルト３７とを用いると、無端状ベルト３７からの放熱が促進され、冷却ローラと対向する部材の温度が上昇するのを抑制することができる。
【図面の簡単な説明】
【００４１】
【図１】本願に係る発明の一実施形態である画像形成装置を示す概略構成図である。
【図２】図１に示す画像形成装置で用いられる冷却ローラ及び冷却対向ローラの側面図である。
【図３】図１に示す画像形成装置で用いられる冷却ローラ及び冷却対向ローラの断面図である。
【図４】図１に示す画像形成装置で用いることができる冷却ローラの他の例を示す概略斜視図である。
【図５】図１に示す画像形成装置で用いることができる冷却ローラの他の例を示す概略断面図及び側面図である。
【図６】冷却ローラの支持部の他の例を示す概略断面図である。
【図７】図１に示す画像形成装置で、冷却対向ローラに代えて用いることができる対向部材の例を示す概略構成図である。
【符号の説明】
【００４２】
１：感光体ドラム，    ２：帯電装置，    ３：露光装置，    ４：現像ユニット，    ５：中間転写体，    ６：クリーニング装置，    ７：除電露光装置，    ８：転写帯電器，    ９：支持ローラ，    １０：転写対向ローラ，    １１：転写ローラ，    １２：定着装置，    １３：シートトレイ，    １４：冷却ローラ，    １５：排出トレイ，    １６：両面用搬送路，    １７：ゲート，    １８：冷却対向ローラ，    １９：冷却ローラの軸受け，    ２０：ファン，    ２１：冷却対向ローラの軸受け，
３１，３２，３３：冷却ローラ，    ３４：軸受け，    ３５，３６：ローラ，    ３７：無端状ベルト
【図１】
2008102346.tif 000003
【図２】
2008102346.tif 000004
【図３】
2008102346.tif 000005
【図４】
2008102346.tif 000006
【図５】
2008102346.tif 000007
【図６】
2008102346.tif 000008
【図７】
2008102346.tif 000009